(57)【要約】      （修正有）【課題】大災害で食料品類が供給不足の際に充分に即時に全避難民に食料を供給し完配し得る事が出来る食料品を提供する。【解決手段】災害時に即供給し得る食料１を１人分一食を調理して熱処理加工して、ポリエチレンやセロハンの薄物に角形状に包み又熱に強いビニールの容器に各々収めて設けたものであり、これを箱２詰めして、瞬間冷凍庫に入庫して備蓄した。【選択図】図２
0003191929.tif 000002
【実用新案登録請求の範囲】
【請求項１】
食用に供給し得ることが出来る様に料理した主食（イ）、副主食（ロ）を各々ポリエチレンやセロハン等でラップ及ビニール器に詰設して、箱２、箱３にそれぞれ箱詰設して該箱２，３を用意されてある冷凍庫にそれぞれ入庫して保管、備蓄しておいて、大災害時に直ちに出庫して避難した全住民に食料が供給し得る事が出来るように設けた食料品。
【請求項２】
大地震の発生が予知されてある全家庭の各構成する人員及食用期間に勘案する納数量を冷凍庫に入庫備蓄しておいて、大災害時に速かに解凍して、直ちに食用に供するよう構成した請求項１記載の大災害時における主食（イ）及副主食（ロ）などの食料品。
【考案の詳細な説明】
【技術分野】
【０００１】  本実用新案は、大災害で食料品類が供給不足の際に充分に即時に主食でもある麺及びおかず等の副主食などを提供する食料品である。【０００２】  従来より、大地震など大災害において、先ず重要なことは食料が皆無となることである。【０００３】  食料品は総て賞味期限があって、その期限が切れると、全品取替えすることになるので、その時間と手数を費やすことで時間的に、又経済的にも大変な費用、負担をともなうものである。【０００４】  そこで必要とする食糧は本実用新案で解決するとともに必要とする水は、下記の技術で解決することが出来るものである。
【先行技術文献】
【特許文献１】  公開特許公報  ２０１１−４０２
【０００５】
【非特許文献】
【非特許文献】  特許第４５４６９４２号  上記の実用新案は大災害の予知する避難場所に設置しておいて、災害時の断水時において水および食料品を供給するものである。
【考案の概要】
【考案が解決しようとする課題】
【０００６】  本実用新案は上記の様な従来の構成が有している諸問題を解決とするものであり、食糧品の賞味期間を大幅に延長できて、無期限に近いものを実現することを目的とするものである。【０００７】  而して、その避難場所に本実用新案の食料品を必要とする数量を備蓄しておいて、一旦災害が発生すれば即時に避難場所に避難している全員に即、容易に充分に提供出来る様にした食良品類の実現することを目的とするものである。
【課題を解決する課題】
【０００８】  そこで本実用新案は、上記の目的を達成するために、賞味期限を有しないものであって、直ちに食する事の出来る食品を開発することである。
【０００９】  次の課題解決手段、作用は次の通りである、即ち、賞味期限を上記の如く無用のものとして解決したことである。
【００１０】  そこで本実用新案は、例えば麺類であれば、従来の通りに製造したものを、先ず煮立てて即、食用に供することが出来るようにするとともに、米飯は固めに炊いて、例えばこれら食料品をポリエチレンやセロハン等で詰設し角状にして形成し備蓄し得るように設けたものである。
【００１１】  またこれらの主食、副食品は上記の如く即時食することが出来る様に煮立て、図面では一人前づつ包装してあるがこれを数人前づつ任意の量にして同じくポリエチレンやセロハンや変形しないビニールなどで確実に詰設して形成するものである。
【００１２】  上記の主食、副食品などは一人で持運び出来る程度に箱詰めして、瞬間冷凍庫に保存するものである。
【００１３】  上記の様にしてこれを瞬間冷凍庫に入庫してある限り無期限に近く保管できるので賞味期限を心配する必要を全く要しないでものである。
【００１４】  上記課題を解決する手段は下記の通りである、即ち、大地震により災害に会ったときに、広域の避難所においても、予めそこに避難した人員に要する量を備蓄しておいて、該主食、副主食等を直ちに全員に食することが出来るものである。
【００１５】  そして湯釜を煮立てする水は、上記の大災害における給水装置、特許第４２４６９４２号を設置しておけば全くその心配はないものである。
【００１６】  上記のように本実用新案の食料品類は冷凍庫に冷凍されてある限り上述した如く、無期限に近く保管できる特徴を有するものである。
【図面の簡単な説明】
【００１７】
【図１】  本実用新案のイは主食、ロは副主食の実施形態を図示した斜面図。
【図２】  同、主食、副主食等の詰合せ状態を示した縮小断面前面側面図。
【図３】  同、主食、副主食の食料品を箱詰めにした一例を示した縮小断面側面全図。
【実用新案を実施するための形態】
【００１８】  以下、本実用新案の実施の形態を図に基づいて説明する。
【００１９】  図において１は、大災害などの非常時において、熱湯で解凍して直ちに食用に供給し得ることが出来る食料品である。
【００２０】  それで本実用新案の食料品１は、上記の如く解凍すれば即時に主食（イ）、副主食（ロ）ともに食用に供し得ることの出来るように完全に料理煮立てしたものである。
【００２１】  煮立てした食料品１の（イ）は麺など含む主食でポリエチレンやセロハンの薄紙でラップしてあり、（ロ）はおかず等の副主食をポリエチレンやセロハンの薄紙でラップした食料品１である。
【００２２】  各ラップした主食（イ）、副主食（ロ）の食料品１は、図では各一人前宛詰設したものであるが、これを数人前を熱湯で変形しないビニールの器などに詰設することが出来る。
【００２３】  こうして各ラップした主食（イ）、副主食（ロ）は、一人で自由に持運び出来る任意の箱に詰設して、直に瞬間冷凍庫に入庫して備蓄するものである。
【００２４】  尚解凍が、大災害即日の食料品１の供給は熱湯の時間を少しく要するものであるが、熱湯の湯量に対して食料品１の数量も適当に加減して解凍するとともにその日後は、熱湯する直前の処置として自然解凍を取入れることなどで熱湯解凍を少しく早急に進行出来るように考慮することが必要で又望ましいものである。
【００２５】  上記の様に構成した本実用新案は、大地震の予知されてある各地域の避難所や集合所及全各家庭に上記の如く必要とする数量を予め勘案して、その主食（イ）、副主食（ロ）をおのおの用意して、冷凍庫に保管備蓄しておくものである。
【００２６】  上記の様に、本実用新案は各避難所、集合所などで、そこに集合する人員の数を少なくとも７日分位の量を予め勘案してその全員に配分し得て食することができる様にその数量を即時出庫して手配するとともに、又家庭の構成する人員に７日分の数量を用意して瞬間冷凍庫に備蓄して、災害時には釜等で沸騰した湯で解凍して、直ちに食用することが出来る特徴を有するものである。
【符号の説明】
【００２７】１・・・・・本実用新案の実施形態を示した斜面図。
２・・・・・食料品を詰設した箱の縮小平面図。
３・・・・・食料品を横詰設した箱の縮小側面図。
【図１】
0003191929.tif 000003
【図２】
0003191929.tif 000004
【図３】
0003191929.tif 000005
【手続補正書】
【提出日】平成26年1月27日(2014.1.27)
【手続補正１】
【補正対象書類名】実用新案登録請求の範囲
【補正対象項目名】全文
【補正方法】変更
【補正の内容】
【実用新案登録請求の範囲】
【請求項１】
災害時に即供給し得る食糧１を１人分一食を料理して熱処理加工して、ポリエチレンやセロハンなどの薄物に角形状に包み又熱に強いビニールの容器などに各々収めて設けたものであり、例えば麺（イ）などは長いものを上位に伸ばして角形状に前後または左右に折畳みこんで設け、お菜（ロ）などは野菜類、魚類、肉類などを料理熱加工して、又熱に強いビニール容器等に栄養の片寄らないように多種類を並べるなどして、これらの食料１（イ）、（ロ）を任意の箱２，３に各々箱詰して、大災害の予知されている地域の被災した全員に速やかに供給し得る量を用意して各瞬間冷凍庫に各々入庫して備蓄した食料品。
【請求項２】
食料１を数人分用意する際は用意した１人分一食を一個として、この一個分を任意に数個を連続に連結して設けて設けたもので、一旦災害時の際は速やかに解凍して、上記の如く全被害者に食用に供給し得るように構成した請求項１記載の大災害における食料品。
【手続補正３】
【補正対象書類名】明細書
【補正対象項目名】全文
【補正方法】変更
【補正の内容】
【考案の詳細な説明】
【技術分野】
【０００１】  本実用新案は、大災害で食料品類が供給不良の際に充分に即時に全避難民に食料を提供し完配し得る事が出来る食料品に関する。【０００２】  従来より、大地震など大災害において、先ず重要なことは食料が速に届かないことである。【０００３】  食料品は一般的に総じて賞味期限があって、貯蔵しておいた食料品類の、その期限が切れると、全食料品取替えすることになるので、その時間と手数を費やすことになり時間的に、又手数的にも大変な費用、負担を要することになり、誠に不経済なものである。【０００４】  そこで食料品は上記の如く本実用新案で解決することであって、尚必要とする水は、下記の技術で解決しようとするものである。
【先行技術文献】
【特許文献１】  公開特許公報  ２０１１−４０２
【０００５】
【非特許文献】
【非特許文献】  特許第４５４６９４２号  上記の実用新案の水は大災害の予知する非難場所に各々設置しておいて、災害時の断水時において水を充分に供給するものである。
【考案の概要】
【考案が解決しようとする課題】
【０００６】  本実用新案は上記の様な従来の構成が有している諸問題を解決とするものであり、食料品の賞味期限を大幅に延長できて、無期限に近いものを実現することを目的とするものである。【０００７】  而して、その避難場所に本実用新案の食料品を必要とする数量を備蓄しておいて、一旦災害が発生すれば即時に非難場所に避難している全員に即、容易に充分に提供できる様にした食料品の実現することを目的とするものである。
【課題を解決する課題】
【０００８】  そこで本実用新案は、上記の目的を達成するために、賞味期限を有しないものに近いものにし、災害時に直に食する事の出来る食品を開発することである。
【０００９】  次の課題解決手段、作用は次の通りである、即ち、賞味期限を上記の如く無期限近いものにして解決したことである。
【００１０】  そこで本実用新案は、食料品を料理するが必ず煮立てて即、食用に供することが出来るようにするとともに、米飯は固めに炊き、例えばこれらの食料品をポリエチレンやセロハン等で上記の如く例えば一人前を基準として麺類であれば角状になるように長物を折りたたみ重ね合わせて詰設し各々角状にして形成し得ることが出来るように設けたものである。
【００１１】  またこれらの食料品は上記の如く即時食することが出来る様に必ず煮立てして、図面では一人前づつ包装してあるが、これを数人分で例えば麺類で数分であれば上記の様に一人前のものを上段に３段程度位角状に重ね合せるとともにこれを横方に延ばしてこれをポリエチレンやセロハンなどや変形しないビニールなどで確実に詰設して形成するものである。
【００１２】  上記の食料品は出来得る限り一人で持運びできる程度に箱詰めすることが望ましく、これを瞬間冷凍庫に保存するものである。
【００１３】  上記の様にしてこれを瞬間冷凍庫に入庫してある限り無期限に近い状態で保管できるので賞味期限を心配する必要がないものである。
【００１４】  上記課題を解決する手段は下記の通りである、即ち、大地震により災害に会ったときに、広域の避難所においても、予めそこに避難した人員に要する量を備蓄しておいて、食糧品を直ちに全員に配食することが出来るものである。
【００１５】  そして湯釜を煮立てする水は、上記の大災害における上記の給水装置を広域の非難所に各々設置しておけば全くその心配はないものである。
【００１６】  上記のように本実用新案の食料品類は冷凍庫に冷凍されてある限り上述した如く、無期限に近い状態で保管できる特徴を有するものである。
【図面の簡単な説明】
【００１７】
【図１】  本実用新案の食料品の実施形態を図示した斜面図。
【図２】  同、食料品の詰合せ状態を示した縮小断面前面側面図。
【図３】  同、食料品を箱詰めにした一例を示した縮小断面側面全図。
【実用新案を実施するための形態】
【００１８】  以下、本実用新案の実施の形態を図に基づいて説明する。
【００１９】  図において１は、大災害などの非常時において、熱湯で解凍して直ちに食用に供給し得ることが出来る食料品である。
【００２０】  それで本実用新案の食料品１は、上記の如く解凍すれば即時に食用に供し得ることの出来るように完全に料理をして、これを煮立て成したものである。
【００２１】  煮立てした食料品１で例えば麺であれば一人前で１０ｃｍ前後の角形にその麺を上位に延ばして折畳みする様にポリエチレンやセロハンなどの薄紙でラップして設ける、（ロ）は又その他のおかず等の食料品は例えば燃えない角形状の器にポリエチレンやセロハンなどの薄紙でラップした食料品１で、（イ）は麺類、（ロ）は野菜類、魚類、肉類のおかず等の食料品である。
【００２２】  各ラップした食料品１は、図では各一人前宛詰設したものであるが、例えば数１０人前後とすれば上記の１人前分の角形でこれを２、３個以上続けて横方に続けて設けてこれを熱湯で変形しないビニールの器などに詰設することが出来る。
【００２３】  こうして各ラップした食料品は、一人で自由に持運び出来る程度のものにして任意の箱に詰設して、直に要所に設けられてある瞬間冷凍庫に入庫して備蓄するものである。
【００２４】  尚解凍が、大災害即日時の食料品１の供給は熱湯の時間を少しく要するものであるが、熱湯の湯量に対して食料品１の数量も適当に加減して解凍するとともにその後日は、熱湯する直前の処置として自然解凍を取入れることなどで熱湯解凍を少しく早急に進行解凍出来るように考慮することが必要で又望ましいものである。
【００２５】  上記の様に構成した本実用新案は、大地震の予知されてある各地域の避難所や集合所及全各家庭に上記の如く必要とする数量を予め勘案して、その食料品をおのおの用意して、瞬間冷凍庫に保管備蓄しておくものである。
【００２６】  上記の様に、本実用新案は避難所、集合所などで、そこに集合する人員の数を少なくとも７日分位の量を予め勘案してその全員に配分し得て食することができる様にその数量を即時出庫して手配するとともに、更に個人的には各家庭の構成する人員に７日分の数量を用意して瞬間冷凍庫に備蓄して、災害時には釜等で沸騰した湯で解凍して、直ちに食用することが出来る特徴を有するものである。
【符号の説明】
【００２７】    １・・・・・麺をポリエチレンやセロハンで角形に包んだ麺。
２・・・・・食料品を詰設した箱。
３・・・・・食料品を横詰設した箱。
【手続補正書】
【提出日】平成26年4月16日(2014.4.16)
【手続補正１】
【補正対象書類名】実用新案登録請求の範囲
【補正対象項目名】全文
【補正方法】変更
【補正の内容】
【実用新案登録請求の範囲】
【請求項１】
災害時に即供給し得る食料（１）を１人分一食を調理して熱処理加工して、ポリエチレンやセロハンの薄物に角形状に包み又熱に強いビニールの容器に各々収めて設けたものであり、これを箱詰めして、瞬間冷凍庫に入庫して備蓄した食糧品。
【請求項２】
１人分一食とした前記食料（１）を一個として、この一個を複数個連続に連結して設けた請求項１に記載の食料品。
【手続補正２】
【補正対象書類名】明細書
【補正対象項目名】全文
【補正方法】変更
【補正の内容】
【考案の詳細な説明】
【技術分野】
【０００１】  本実用新案は、大災害で食料品類が供給不足の際に充分に即時に全避難民に食料を供給し完配し得る事が出来る食料品に関する。【０００２】  従来より、大地震など大災害において、先ず重要なことは食料が速に届かず不足することである。【０００３】  食料品は一般的に総じて賞味期限があって、貯蔵しておいた食料品類の、その期限が切れると、全食料品取替えすることになるので、その時間と手数を費やすことになり時間的に、又手数的にも大変な費用、負担を要することになり、誠に不経済なものである。【０００４】  そこで食料品は上記の如く本実用新案で解決することが出来るが、まず先に必要とする飲用水であるが、それは下記の技術で解決しようとするものである。
【先行技術文献】
【特許文献１】  公開特許公報  ２０１１−４０２
【０００５】
【非特文献】
特許第４５４６９４２号
上記の実用新案の飲食用水は大災害の予知する避難場所に各々必要量を充分に設置しておいて、災害時の断水時において飲用水を直に充分に供給出来るものである。
【考案の概要】
【考案が解決しようとする課題】
【０００６】  本実用新案は上記の様な従来の構成が有している諸問題を解決とするものであり、食用品の賞味期限を大幅に延長できて、無期限に近いものを実現することを目的とするものである。【０００７】  而して、本実用新案はその避難場所に飲料水や食料品を必要とする数量を各々避難場所に備蓄しておいて、一旦災害が発生すれば即時にその避難場所に避難している全員に即、容易に充分に提供できる様にした食料品の実現することを目的とするものである。
【課題を解決する課題】
【０００８】  そこで本実用新案は、上記の目的を達成するために、賞味期限を有しないものに近いものにし、備蓄しておいて災害時に直に食する事の出来る食料品を開発、解決することである。
【０００９】  次の課題解決手段、作用は次の通りである、即、調理、熱処理して避難場所の各瞬間冷凍庫に備蓄しておいて、食用の際は直ちに出庫して煮沸した湯釜に投じて解凍、即食事出来得るようにしたものである。
【００１０】  上記課題を解決する手段は下記の通りである、即ち、大地震により災害に会ったときに、広域の避難場所においても、予めそこに避難した人員に相当する量を備蓄しておいて、その食料品を直ちに全員に配り食事することが出来るものである。
【００１１】  そして湯釜で煮沸する飲料水は、上記の大災害における地域に予知されてある地域に前期の給水装置を広域の避難場所に各々設置しておけば全くその心配を要しないことである。
【００１２】  上記のように本実用新案の食料品類は冷凍庫に冷凍されてある限り上述した如く、無期限に近い状態で保管できる特徴を有するものである。
【図面の簡単な説明】
【００１３】
【図１】  本実用新案の食料品の実施形態を図示した斜面図。
【図２】  同、食料品の詰合せ状態を示した縮小断面前面側面図。
【図３】  同、食料品を箱詰めした一例を示した縮小断面側面全図。
【実用新案を実施するための形態】
【００１４】  以下、本実用新案の実施の形態を図に基いて説明する。
【００１５】  図において１は、大災害などの非常時において、熱湯で解凍して直ちに食用に供給し得ることが出来る食料品である。
【００１６】  それで本実用新案の食料品１は、上記の如く解凍すれば即時に食用に供し得ることの出来るように完全に調理熱処理して、冷凍庫に入庫して備蓄しておいて非常時の際に直ちに供給することが出来得るように、これを調理し熱処理して設けたものである。
【００１７】  食料品１で、例えば麺であれば一人前で角形になるようにして、その麺を上位に延ばして折畳みする様にポリエチレンやセロハンの薄紙でラップして設ける、又（ロ）はその他のおかず等の食料品は例えば燃えない角形状の器にポリエチレンやセロハンの薄紙でラップした食料品１で、（イ）は麺類、（ロ）は野菜類、魚類、肉類のおかず等の食料品である。
【００１８】  各ラップした食料品１は、図では各一人前宛詰設したものであるが、例えば複数人とすれば上記の角形の一人前分でこれを複数連続に続けて設けて、又これを熱湯で変形しないビニールの器に詰設することが出来る。
【００１９】  こうして上述した如く各ラップした食料品は、一人で自由に持運び出来る程度のものにして任意の箱に詰設して、直ちに要所要所の各避難場所に設けられてある瞬間冷凍庫に入庫して備蓄するものである。
【００２０】  尚解凍が、大災害即日時の食料品１の供給は、熱湯が少しくは長時間を要するものであるが、熱湯の湯量に対して食料品１の数量も適当に加減して解凍するとともにその後の日々は、熱湯する直前の処置として自然解凍を取入れることなどで熱湯解凍を少しく早急に進行解凍出来るように必要量を考慮することが大切で必要であり又望ましいものである。
【００２１】  上記の様に構成した本実用新案は、大地震の予知されてある各地域の避難場所や集合所及全各家庭に下記の如く必要とする数量を予め勘案して、その食料品をおのおの用意して、瞬間冷凍庫に保管備蓄しておくものである。
【００２２】  上記の様に、本実用新案は避難場所、集合所などで、そこに集合する人員の数を少なくとも７日分位の量を予め勘案してその全員に配分し得て食することができる様にその数量を即時出庫して手配するとともに、更に個人的には各家庭の構成する人員に７日分の数量を熱処理し用意して瞬間冷凍庫に備蓄をして、災害時には湯釜で沸騰した熱湯で解凍して、直ちに食用することが出来る特徴を有するものである。
【符号の説明】
【００２３】  １・・・・・麺をポリエチレンやセロハンで角形に包んだ麺。
２・・・・・食料品を詰設した箱。
３・・・・・食料品を横詰設した